(57)【要約】【課題】開いた時に受けるインパクトが強く、大きな訴求力を発揮する新規な折畳みカードを提供すること。【解決手段】それぞれ中央の折目線で二つ折りされる表側紙片１０と裏側紙片２０とからなり、表側紙片１０と裏側紙片２０にはそれぞれ起立部１１〜１３，２１を構成するための切込線が中央の折目線に跨がって所定のパターンで形成されており、表側紙片１０の起立部１１〜１３が外側となり裏側紙片２０の起立部２１が内側となるように表側紙片１０と裏側紙片２０とが重ねられ、表側紙片１０の起立部１１〜１３と裏側紙片２０の起立部２１とが重なり合うところでは裏側紙片２０の起立部２１の方が表側紙片１０の起立部１１〜１３より小さくなっている。表側紙片１０の起立部１１〜１３の後ろに裏側紙片２０の起立部２１が位置する状態でそれぞれの起立部が立ち上がる。【選択図】図５
2006027247.tif 000002
【特許請求の範囲】
【請求項１】
それぞれ中央の折目線で二つ折りされる表側紙片と裏側紙片とからなり、表側紙片と裏側紙片にはそれぞれ起立部を構成するための切込線が中央の折目線に跨がって所定のパターンで形成されており、表側紙片の起立部が外側となり裏側紙片の起立部が内側となるように表側紙片と裏側紙片とが重ねられ、表側紙片の起立部と裏側紙片の起立部とが重なり合うところでは裏側紙片の起立部の方が表側紙片の起立部より小さくなっていることを特徴とする折畳みカード。
【発明の詳細な説明】
【技術分野】
【０００１】
本発明は、紙を用いたカード状製品の分野に属し、詳しくは、催し物の案内カード、冠婚葬祭の案内カード等に好適に用いられる二つ折り形式の折畳みカードに関するものである。
【背景技術】
【０００２】
従来より、二つ折りカードの形態で、開いた際に立体的な造形が飛び出すように構成された折畳みカードが知られている。この二つ折り形式の折畳みカードは、折目となる中心線に跨がって所定のパターンで切込線を設け、その切込線で囲まれた部分を起立部としたもので、二つ折りの状態から略直角の状態に開けると、切込で囲まれた部分が起きることによって立体的な造形が現れるようになっている。
【特許文献１】登録意匠第１１３５５９６号公報
【特許文献２】実開昭６１−２００２７９号公報
【発明の開示】
【発明が解決しようとする課題】
【０００３】
上記した二つ折り形式の折畳みカードは、開いた時に起立部が立体的な造形をなすという面白さがあるため、各種の案内カードを始めとして各種用途に広く利用されている。ところが、この折畳みカードの構造はよく知られており、目新しさを出そうとすると、切込線のパターンと印刷する絵柄に工夫を凝らすしかないことから、見る人に対しての訴求力に限界があった。
【０００４】
本発明は、このような問題点に鑑みてなされたものであり、その目的とするところは、開いた時に受けるインパクトが強く、大きな訴求力を発揮する新規な折畳みカードを提供することにある。
【課題を解決するための手段】
【０００５】
上記の目的を達成するため、本発明の折畳みカードは、それぞれ中央の折目線で二つ折りされる表側紙片と裏側紙片とからなり、表側紙片と裏側紙片にはそれぞれ起立部を構成するための切込線が中央の折目線に跨がって所定のパターンで形成されており、表側紙片の起立部が外側となり裏側紙片の起立部が内側となるように表側紙片と裏側紙片とが重ねられ、表側紙片の起立部と裏側紙片の起立部とが重なり合うところでは裏側紙片の起立部の方が表側紙片の起立部より小さくなっていることを特徴としている。
【発明の効果】
【０００６】
本発明の折畳みカードは、二つ折りの状態から略直角の状態に開けると、表側紙片の起立部の後ろに裏側紙片の起立部が位置する状態でそれぞれの起立部が立ち上がり、前後に奥行きを持たせることが可能であるため、より複雑な形状を表現したり立体感を強調することができ、従来の折畳みカードに比べて大きな訴求力を発揮することができる。
【発明を実施するための最良の形態】
【０００７】
図１は本発明に係る折畳みカードの一例を構成する表側紙片の展開図、図２は同じく裏側紙片の展開図である。この２枚の紙片は略同じサイズの矩形状シートからなり、これらの表側紙片と裏側紙片を組み合わせて形成される折畳みカードは、チャペルを立体的に表すものである。表側紙片には印刷を施すとよいが、チャペルは紙自体の白さを活かすことができるので、簡単な模様印刷等だけにする方が上品な感じとなる。
【０００８】
表側紙片１０は、図１に示すように、中心を通る横方向の折目線α10で二つ折りするようになっている。そして、その折目線α10に跨がって４本の切込線ａ1 〜ａ4 が設けられ、それらの切込線ａ1 〜ａ4 と各切込線ａ1 〜ａ4 の先端から折目線α10と平行に延びる谷折線ｂ1 〜ｂ6 により３つの起立部１１〜１３が区画されており、各起立部１１〜１３にはその中程を横断する山折線ｃ1 〜ｃ3 が設けられている。中程にある長めの２本の切込線ａ2 ，ａ3 で区画された起立部１２はチャペル入口の屋根と門であり、その門には建物の入口となるアーチ状の開口１２ａが形成されている。また、両側の起立部１１，１３、すなわち切込線ａ1 ，ａ2 で区画された起立部１１と切込線ａ3 ，ａ4 で区画された起立部１３は屋根と壁であり、その壁にはそれぞれ建物の窓となる矩形状の開口１１ａ，１３ａが２つずつ形成されている。
【０００９】
裏側紙片２０は、図２に示すように、中心を通る横方向の折目線α20で二つ折りするようになっている。そして、その折目線α20に跨がって２本の切込線ａ1 ，ａ2 が設けられ、それらの切込線ａ1 ，ａ2 と各切込線ａ1 ，ａ2 の先端から折目線α20と平行に延びる谷折線ｂ1 ，ｂ2 により横長の起立部２１が区画されており、その起立部２１にはその中程を横断する山折線ｃ1 が設けられている。この起立部２１は建物における内側の屋根と壁であり、その壁の中央には表側紙片１０の開口１２ａと対応する位置に一回り小さなアーチ状の開口２１ａが形成され、その両側には表側紙片１０の開口１１ａ，１３ａと対応する位置に小さなアーチ状の開口２１ｂが形成されている。
【００１０】
裏側紙片２０における左側の切込線ａ1 と表側紙片１０における左側の切込線ａ1 は同じ位置にあり、裏側紙片２０の切込線ａ1 は真っ直ぐであるが、表側紙片１０の切込線ａ1 は一部が右側寄りにずれることで内向きの突部１１ｂを形成している。同様に、裏側紙片２０における右側の切込線ａ2 は、表側紙片１０における右側の切込線ａ4 と同じ位置にあり、裏側紙片２０の切込線ａ2 は真っ直ぐであるが、表側紙片１０の切込線ａ4 は一部が左側寄りにずれることで内向きの突部１３ｂを形成している。
【００１１】
図３は表側紙片１０を中心の折目線α10で略直角に折り曲げた状態で示す斜視図、図４は裏側紙片２０を中心の折目線α20で略直角に折り曲げた状態で示す斜視図であり、図５は表側紙片１０と裏側紙片２０を組み合わせて折畳みカードとしたものを開いた状態で示す斜視図である。
【００１２】
表側紙片１０と裏側紙片２０を組み合わせて折畳みカードとするには、各紙片における起立部の山折線と谷折線に折癖を付けるようにそれぞれを折目線α10，α20で二つ折りした後、少し開き気味にして裏側紙片２０に表側紙片１０を重ね合わせる。この時、表側紙片１０の起立部１１，１３にある突部１１ｂ，１３ｂを裏側紙片２０の起立部２１の後ろ側に差し込み、表側紙片１０と裏側紙片２０を噛み合わせることで両者が簡単に外れないようにする。このように糊を使うことなく、表側紙片１０と裏側紙片２０を噛み合わせるだけで一体化することができる。
【００１３】
この表側紙片１０と裏側紙片２０とからなる折畳みカードは、図６に示すように、一回り大きな二つ折りのカード台紙Ｂにセットして体裁を整えることで結婚式の案内カードとし、二つ折り状態にして配布する。そして、受け取った人がこの折畳みカードを台紙Ｂとともに広げると、図６の如く奥行感のある立体的なチャペルが飛び出すことになる。
【００１４】
図７は本発明に係る折畳みカードの別の例を構成する表側紙片の展開図、図８は同じく裏側紙片の展開図である。この２枚の紙片は略同じサイズの矩形状シートからなり、これらの表側紙片と裏側紙片を組み合わせて形成される折畳みカードは、山車を立体的に表すものであり、両紙片にはそれぞれ絵柄を印刷する。
【００１５】
表側紙片３０は、図７に示すように、中心を通る縦方向の折目線α30で二つ折りするようになっている。そして、その折目線α30に跨がって３本の切込線ａ1 〜ａ3 が設けられ、それらの切込線ａ1 〜ａ3 と各切込線ａ1 〜ａ3 の先端から折目線α30と平行に延びる谷折線ｂ1 〜ｂ4 により２つの起立部３１，３２が区画されており、各起立部３１，３２にはその中程を縦断する山折線ｃ1 ，ｃ2 が設けられている。上方の切込線ａ1 と中央の切込線ａ2 で区画された起立部３１は山車の上段部であり、その上部には欄干を形成する横長状の開口３１ａが４つ形成されている。また、中央の切込線ａ2 と下方の切込線ａ3 で区画された起立部３２は山車の下段部であり、その上部には欄干を形成する横長状の開口３２ａが６つ形成されており、その下部は切込線ａ3 の一部により山車の車部分３２ｂが形成されている。
【００１６】
裏側紙片４０は、図８に示すように、中心を通る横方向の折目線α40で二つ折りするようになっている。そして、その折目線α40に跨がって３本の切込線ａ1 〜ａ3 が設けられ、それらの切込線ａ1 〜ａ3 と各切込線ａ1 〜ａ3 の先端から折目線α40と平行に延びる谷折線ｂ1 ，ｂ2 により２つの起立部４１，４２が区画されており、上側の起立部４１にはその中程を縦断する山折線ｃ1 と切込線ｄ1 が設けられ、下側の起立部４２にはその中程を縦断する山折線ｃ2 が設けられている。上方の切込線ａ1 と中央の切込線ａ2 で区画された起立部４１は山車の上段に乗る巫女であり、曲線状の切込線ａ1 はその巫女の上半身の輪郭を表し、山折線ｃ1 に連なる切込線ｄ1 は装束の袂を表している。また、中央の切込線ａ2 と下方の切込線ａ3 で区画された起立部３２は山車の中段部であり、垂れ幕等の絵柄（図示せず）に合わせて開口４２ａが適宜形成されている。
【００１７】
表側紙片３０の下側の起立部３２における左側の山折線ｂ3 は裏側紙片４０の下側の起立部４２における左側の山折線ｂ3 より外側（左側）にある。そして、表側紙片３０には、起立部３２の上辺から上方に向かう切込線ｅ1 が、裏側紙片４０の起立部４２における左側の山折線ｂ3 と略同じ位置に、かつ裏側紙片４０の起立部４２の上辺より僅かに上方に至るところまで形成されている。また、表側紙片３０の下側の起立部３２における右側の山折線ｂ4 は裏側紙片４０の下側の起立部４２における右側の山折線ｂ4 より外側（右側）にある。そして、表側紙片３０には、起立部３２の上辺から上方に向かう切込線ｅ2 が、裏側紙片４０の起立部４２における右側の山折線ｂ4 と略同じ位置に、かつ裏側紙片４０の起立部４２の上辺より僅かに上方に至るところまで形成されている。
【００１８】
表側紙片３０の上側の起立部３１における左側の山折線ｂ1 は裏側紙片４０の上側の起立部４１における左側の山折線ｂ1 より外側（左側）にある。そして、表側紙片３０には、起立部３１の上辺から上方に向かう切込線ｆ1 が、裏側紙片４０の起立部４１における左側の山折線ｂ1 と略同じ位置に、かつ裏側紙片４０の起立部４１の上辺より僅かに上方に至るところまで形成されている。また、表側紙片３０の上側の起立部３１における右側の山折線ｂ2 は裏側紙片４０の下側の起立部４１における右側の山折線ｂ2 より外側（右側）にある。そして、表側紙片３０には、起立部３１の上辺から上方に向かう切込線ｆ2 が、裏側紙片４０の起立部４１における右側の山折線ｂ2 と略同じ位置に、かつ裏側紙片４０の起立部４１の上辺より僅かに上方に至るところまで形成されている。
【００１９】
図９は表側紙片３０を中心の折目線α30で略直角に折り曲げた状態で示す斜視図、図１０は裏側紙片４０を中心の折目線α40で略直角に折り曲げた状態で示す斜視図であり、図１１は表側紙片３０と裏側紙片４０を組み合わせて折畳みカードとしたものを開いた状態で示す斜視図である。
【００２０】
表側紙片３０と裏側紙片４０を組み合わせて折畳みカードとするには、各紙片における起立部の山折線と谷折線に折癖を付けるようにそれぞれを折目線α30，α40で二つ折りした後、両紙片共に少し開き気味にし、表側紙片３０の切込線ｆ1 ，ｆ2 を裏側紙片４０の起立部４１の下へ、表側紙片３０の切込線ｅ1 ，ｅ2 を裏側紙片４０の起立部４２の下へスライドさせて両紙片を組み合わせる。このように糊を使うことなく、表側紙片３０と裏側紙片４０を組み合わせることができる。
【００２１】
この表側紙片３０と裏側紙片４０とからなる折畳みカードは、図１１に示すように開いた状態とすることにより、奥行感のある立体的な山車を表現したものとなる。この折畳みカードは、例えば、山車を展示した博物館の入場券に組み込んだ形態とすることができる。具体的には、入場券に表側紙片３０と裏側紙片４０の図柄を印刷しておくのである。すると、その図柄のある半券を持ち帰り、ペーパークラフトとして楽しむことができる。もちろん、博物館のお土産コーナー等においてペーパークラフトとして販売することもできる。
【００２２】
本発明の折畳みカードは、各種の紙を用いて作成することができる。どのような材質の紙を用いるかは用途に応じて決めればよい。そして、その紙に文字や画像を印刷することにより、バリエーションに富んだ立体カードを提供することができる。
【産業上の利用可能性】
【００２３】
本発明の折畳みカードは、催し物の案内カード、冠婚葬祭の案内カード等に好適に用いられるものであるが、その他にも、上記したような入場券を始めとして種々の用途に用いることができる。例えばダイレクトメールに利用し、構造的なものを理解して貰うための説明書にもなるし、具体的な表現ができるのでインパクトのあるディスプレイとしても利用することもできる。
【図面の簡単な説明】
【００２４】
【図１】本発明に係る折畳みカードの一例を構成する表側紙片の展開図である。
【図２】本発明に係る折畳みカードの一例を構成する裏側紙片の展開図である。
【図３】図１の表側紙片を折り曲げた状態で示す斜視図である。
【図４】図２の裏側紙片を折り曲げた状態を示す斜視図である。
【図５】図１の表側紙片と図２の裏側紙片を組み合わせて折畳みカードとしたものを開いた状態で示す斜視図である。
【図６】図５の折畳みカードを台紙にセットした状態を示す斜視図である。
【図７】本発明に係る折畳みカードの別の例を構成する表側紙片の展開図である。
【図８】本発明に係る折畳みカードの別の例を構成する裏側紙片の展開図である。
【図９】図６の表側紙片を折り曲げた状態で示す斜視図である。
【図１０】図７の裏側紙片を折り曲げた状態を示す斜視図である。
【図１１】図７の表側紙片と図８の裏側紙片を組み合わせて折畳みカードとしたものを開いた状態で示す斜視図である。
【符号の説明】
【００２５】
１０  表側紙片
１１〜１３  起立部
１１ａ〜１３ａ  開口
１１ｂ  突部
１３ｂ  突部
２０  裏側紙片
２１  起立部
２１ａ，２１ｂ  開口
３０  表側紙片
３１，３２  起立部
３１ａ，３２ａ  開口
３２ｂ  車部分
４０  裏側紙片
４１，４２  起立部
４２ａ  開口
【図１】
2006027247.tif 000003
【図２】
2006027247.tif 000004
【図３】
2006027247.tif 000005
【図４】
2006027247.tif 000006
【図５】
2006027247.tif 000007
【図６】
2006027247.tif 000008
【図７】
2006027247.tif 000009
【図８】
2006027247.tif 000010
【図９】
2006027247.tif 000011
【図１０】
2006027247.tif 000012
【図１１】
2006027247.tif 000013